(57)【要約】【課題】仮に水分が一次防水を通過してきたとしても、外装材の開口の縁部材に開口枠を固定する固定具に到達し難い開口枠及び開口廻り構造を提供すること。【解決手段】左右の縦枠１０ｃ、１０ｄと上横枠１０ａと下横枠１０ｂとを有し、建物の外装材１の開口３の縁部材に沿って配設される開口枠１０であって、上横枠１０ａは、室外側から室内側に向かって見込み方向に上る上り段差部１１，１２，１３，１４を備え、開口枠１０が縁部材に取付けられる、上り段差部における取付け位置ＴＰと、上り段差部における外装材１との間の止水位置ＳＰと、が離れるように、上り段差部における取付け位置ＴＰ及び止水位置ＳＰが設定されている。【選択図】図２
2019060150.tif 000002
【特許請求の範囲】
【請求項１】
左右の縦枠と上横枠と下横枠とを有し、建物の外装材の開口の縁部材に沿って配設される開口枠であって、
前記上横枠は、室外側から室内側に向かって見込み方向に上る上り段差部を備え、
前記開口枠が前記縁部材に取付けられる、前記上り段差部における取付け位置と、前記上り段差部における前記外装材との間の止水位置と、が離れるように、前記上り段差部における前記取付け位置及び前記止水位置が設定されていることを特徴とする、開口枠。
【請求項２】
前記下横枠は、室外側から室内側に向かって見込み方向に下る下り段差部を備え、
左右の前記縦枠は、見込み方向に段状をなす水平段差部を備え、
左右の前記縦枠、前記上横枠、及び前記下横枠と、前記外装材との間にそれぞれの排水流路が形成されるように、前記上り段差部と前記下り段差部と前記水平段差部が設けられていることを特徴とする、請求項１に記載の開口枠。
【請求項３】
前記上横枠は、前記上り段差部の下端に連続して、室内側に向かって見込み方向に延出する上方延出部をさらに備え、
前記下横枠は、前記下り段差部の上端に連続して、室内側に向かって見込み方向に延出する下方延出部をさらに備えていることを特徴とする、請求項２に記載の開口枠。
【請求項４】
左右の前記縦枠の備える前記水平段差部の形状が、前記開口の中心線に対して線対称の関係にあることを特徴とする、請求項２又は３に記載の開口枠。
【請求項５】
左右の前記縦枠と前記上横枠と前記下横枠とが一体に組み付けられていることを特徴とする、請求項１乃至４のいずれか一項に記載の開口枠。
【請求項６】
建物の外装材の開口の縁部材に沿って開口枠が配設されることにより形成される開口廻り構造であって、
前記開口枠は、
左右の縦枠と上横枠と下横枠とを有し、
前記上横枠は、室外側から室内側に向かって見込み方向に上る上り段差部を備え、
前記開口枠が前記縁部材に取付けられる、前記上り段差部における取付け位置と、前記上り段差部における前記外装材との間の止水位置と、が離れていることを特徴とする、開口廻り構造。
【請求項７】
前記下横枠は、室外側から室内側に向かって見込み方向に下る下り段差部を備え、
左右の前記縦枠は、見込み方向に段状をなす水平段差部を備えており、
前記上横枠の前記上り段差部、前記下横枠の前記下り段差部、及び左右の前記縦枠の前記水平段差部と、前記外装材と、の間にそれぞれの排水流路が形成され、各排水流路が相互に連通していることを特徴とする、請求項６に記載の開口廻り構造。
【請求項８】
前記外装材は、外壁材と外壁下地材とを含み、該外壁材と該外壁下地材との間に通気層を有していることを特徴とする、請求項６又は７に記載の開口廻り構造。
【発明の詳細な説明】
【技術分野】
【０００１】
本発明は、建物の外装材の開口廻りに取付けられる開口枠と開口廻り構造に関する。
【背景技術】
【０００２】
戸建て住宅をはじめとする建物の外装材の開口廻りには、サッシと称される開口枠が設置されるのが一般的である。ここで、開口とは、採光や換気のための窓の他に、掃き出し窓等を含んでいる。外装材は、外壁パネルと、その室内側に配された外壁下地材とを含んでいる。開口廻りには、縦横の胴縁、まぐさやまぐさ受け、窓台等からなる縁部材があり、この縁部材に開口枠がビス等の固定具にて固定される。縁部材に固定された開口枠と外壁パネルの間の隙間には、シーリング材を充填する湿式工法により、あるいは、ガスケット等の乾式止水材を挿入する乾式工法により、防水処理が施される。このように外壁パネルと各種止水材は一次防水を形成するが、仮にこの一次防水を水分が通過して外壁パネルの裏側に浸入した際に、さらに室内側に水分が浸入するのを防止するべく、外壁下地材の室外側の表面には防水シートが取付けられて二次防水を形成している。
【０００３】
従来の開口廻りの防水構造に関し、乾式工法で簡単に施工でき、確実な防水性が得られるサッシ廻りの防水構造が提案されている。具体的には、外壁材取付下地桟の外面に、互いに目地溝を介して並ぶ外壁材及びサッシ外枠を取付けたサッシ廻りにおいて、次のような構成を適用する。すなわち、下地桟の外面に、外壁材及びサッシ外枠に亘って防水シートが貼着され、目地溝にはガスケットが嵌め込まれる。サッシ外枠は、目地溝の底部に張り出す取付片を有し、この取付片を貫通する固定具にて外壁材取付下地桟に取付けられ、取付片と防水シートとの間に弾性止水材が介在している（例えば、特許文献１参照）。
【先行技術文献】
【特許文献】
【０００４】
【特許文献１】特開平７−２７９５３７号公報
【発明の概要】
【発明が解決しようとする課題】
【０００５】
しかしながら、特許文献１に記載の開口廻りの防水構造は、その図１に示すように、サッシの上端と外壁材の間の隙間を埋めるガスケットと、サッシを外壁材取付下地材等に固定するビス等の固定具との位置が極めて近接している。このような構成では、仮に水分がガスケットからなる一次防水を通過してきた際に、まず、平坦なサッシの上横枠の上方に滞留し易い。そして、滞留した水分は、ガスケットの近傍にあるビスに至る可能性が高い。ビスは外壁材取付下地材等にねじ込まれて固定されているが、ビスに到達した水分は、ビスと外壁材下地材のねじ孔との間の隙間を介して室内側に浸入する恐れがある。
【０００６】
本発明は上記課題に鑑みてなされたものであり、仮に水分が一次防水を通過してきたとしても、外装材の開口の縁部材に開口枠を固定する固定具に到達し難い開口枠及び開口廻り構造を提供することを目的としている。
【課題を解決するための手段】
【０００７】
前記目的を達成すべく、本発明による開口枠の一態様は、左右の縦枠と上横枠と下横枠とを有し、建物の外装材の開口の縁部材に沿って配設される開口枠であって、
前記上横枠は、室外側から室内側に向かって見込み方向に上る上り段差部を備え、
前記開口枠が前記縁部材に取付けられる、前記上り段差部における取付け位置と、前記上り段差部における前記外装材との間の止水位置と、が離れるように、前記上り段差部における前記取付け位置及び前記止水位置が設定されていることを特徴とする。
【０００８】
本態様によれば、上横枠が、室外側から室内側に向かって見込み方向に上る上り段差部を備えていることにより、上横枠の表面に水分が滞留することを抑制できる。また、開口枠が開口の縁部材に取付けられる、上り段差部における取付け位置と、上り段差部における外装材との間の止水位置とが離れるように、上り段差部における取付け位置及び止水位置が設定されていることにより、一次防水を介して浸入してきた水分が取付け位置に配設された固定具に到達する可能性を低減することができる。ここで、「見込み方向」とは、上横枠等の枠材において、室外側（室内側）から室内側（室外側）へ向かう幅方向を意味する。なお、本態様による開口枠は、いわゆるサッシを含み、開口は、引き違い窓をはじめとする採光や換気のための窓の他、バルコニーやテラスへ出入りする掃き出し窓を含んでいる。また、外装材は、各種サイディングに代表される外壁パネル（外壁材）と、外壁の室内側に配された外壁下地材とを含み、外壁下地材は、パネル状の下地材や、縦胴縁や横胴縁を含んでいる。
【０００９】
また、本発明による開口枠の他の態様において、前記下横枠は、室外側から室内側に向かって見込み方向に下る下り段差部を備え、
左右の前記縦枠は、見込み方向に段状をなす水平段差部を備え、
左右の前記縦枠、前記上横枠、及び前記下横枠と、前記外装材との間にそれぞれの排水流路が形成されるように、前記上り段差部と前記下り段差部と前記水平段差部が設けられていることを特徴とする。
本態様によれば、開口枠が開口廻りに取付けられた際に、左右の縦枠、上横枠及び下横枠の備える各段差部と、外装材との間にそれぞれの排水流路が形成されることにより、一次防水を介して浸入してきた水分が開口枠の周囲に滞留することを抑制でき、速やかな排水を実現できる。
【００１０】
また、本発明による開口枠の他の態様において、前記上横枠は、前記上り段差部の下端に連続して、室内側に向かって見込み方向に延出する上方延出部をさらに備え、
前記下横枠は、前記下り段差部の上端に連続して、室内側に向かって見込み方向に延出する下方延出部をさらに備えていることを特徴とする。
本態様によれば、上方延出部と下方延出部を、縁部材を形成する下地材に固定具にて固定することができ、縁部材に対して開口枠をより強固に固定することができる。
【００１１】
また、本発明による開口枠の他の態様は、左右の前記縦枠の備える前記水平段差部の形状が、前記開口の中心線に対して線対称の関係にあることを特徴とする。
本態様によれば、左右の縦枠の形状が線対称の関係にあること、言い換えれば双方の形状が同一であることより、全体の形状が可及的にシンプルな開口枠を形成でき、開口枠の製作コストを削減できる。ここで、「開口の中心線」とは、左右の縦枠間の距離の中心を通る鉛直線のことである。
【００１２】
また、本発明による開口枠の他の態様は、左右の前記縦枠と前記上横枠と前記下横枠とが一体に組み付けられていることを特徴とする。
本態様によれば、別体で製作された左右の縦枠と上横枠と下横枠を、一度に開口廻りに取付けることができ、良好な施工性を実現できる。
【００１３】
また、本発明による開口廻り構造の一態様は、建物の外装材の開口の縁部材に沿って開口枠が配設されることにより形成される開口廻り構造であって、
前記開口枠は、
左右の縦枠と上横枠と下横枠とを有し、
前記上横枠は、室外側から室内側に向かって見込み方向に上る上り段差部を備え、
前記開口枠が前記縁部材に取付けられる、前記上り段差部における取付け位置と、前記上り段差部における前記外装材との間の止水位置と、が離れていることを特徴とする。
【００１４】
本態様によれば、開口枠が開口の縁部材に取付けられる、上り段差部における取付け位置と、上り段差部における外装材との間の止水位置とが離れていることにより、さらには、上横枠が、室外側から室内側に向かって見込み方向に上る上り段差部を備えていることにより、一次防水を介して浸入してきた水分が取付け位置に配設された固定具に到達する可能性を低減することができる。
【００１５】
また、本発明による開口廻り構造の他の態様において、前記下横枠は、室外側から室内側に向かって見込み方向に下る下り段差部を備え、
左右の前記縦枠は、見込み方向に段状をなす水平段差部を備えており、
前記上横枠の前記上り段差部、前記下横枠の前記下り段差部、及び左右の前記縦枠の前記水平段差部と、前記外装材と、の間にそれぞれの排水流路が形成され、各排水流路が相互に連通していることを特徴とする。
本態様によれば、上横枠、下横枠及び左右の縦枠の備える各段差部と、外装材との間にそれぞれの排水流路が形成され、各排水流路が連通していることにより、開口枠の周囲に水分が滞留することを抑制でき、速やかな排水を実現できる。
【００１６】
また、本発明による開口廻り構造の他の態様において、前記外装材は、外壁材と外壁下地材とを含み、該外壁材と該外壁下地材との間に通気層を有していることを特徴とする。
本態様によれば、室外側と室内側での圧力差、すなわち内外差圧がある場合でも、通気層が内外差圧を減圧することにより、一次防水を通過して浸入してきた水分がさらに室内側へ導かれることを抑制できる。
【発明の効果】
【００１７】
以上の説明から理解できるように、本発明の開口枠及び開口廻り構造によれば、上横枠の表面における水分の滞留を抑制でき、一次防水を介して浸入してきた水分が開口枠の取付け位置に配設された固定具に到達する可能性を低減できる。
【図面の簡単な説明】
【００１８】
【図１】実施形態に係る開口枠と開口廻り構造が適用される住宅の一例の斜視図である。
【図２】図１のII方向の矢視図であって、開口枠を形成する上横枠の縦断面図である。
【図３】図１のIII方向の矢視図であって、開口枠を形成する下横枠の縦断面図である。
【図４】図１のIV方向の矢視図であって、開口枠を形成する右側の縦枠の横断面図である。
【図５】図１のV方向の矢視図であって、開口枠を形成する左側の縦枠の横断面図である。
【図６】図１のII方向の矢視図であって、上横枠付近の開口廻り構造の縦断面図である。
【図７】図１のIII方向の矢視図であって、下横枠付近の開口廻り構造の縦断面図である。
【図８】図１のIV方向の矢視図であって、右側の縦枠付近の開口廻り構造の横断面図である。
【図９】図１のV方向の矢視図であって、左側の縦枠付近の開口廻り構造の横断面図である。
【発明を実施するための形態】
【００１９】
以下、実施形態に係る開口枠と開口廻り構造について添付の図面を参照しながら説明する。なお、本明細書及び図面において、実質的に同一の構成要素については、同一の符号を付することにより重複した説明を省く。また、本明細書において、右側、左側とは、それぞれ、室外側から住宅を見た際の右側、左側を示すものとする。
【００２０】
［実施形態］
＜１．開口枠＞
はじめに、図１を用いて、実施形態に係る開口枠と開口廻り構造が適用される住宅の一例を説明する。図１に示す建物Ｈは、軽量鉄骨２階建ての住宅である。外壁パネル１Ａはサイディング材から形成されている。このサイディング材としては、窯業系サイディング、アルミや鋼板からなる金属系サイディング、天然木を加工してなる木質系サイディング、塩化ビニル樹脂等からなる樹脂系サイディングなどが挙げられる。この外壁パネル１Ａは、その表面に様々な凹凸からなる柄模様を有している。外壁パネル１Ａは、例えばその上下端面が厚みの半分だけ削り取られて実を形成し、上下に隣接する外壁パネル１Ａの実同士を重ね合わせる合いじゃくり接合により、上下に列状に複数の外壁パネル１Ａが取り付けられている。そして、各列の間には、ガスケット等の乾式止水材が嵌め込まれた縦目地２がある。なお、縦目地２が湿式の止水材を備えていてもよい。
【００２１】
図１に示す住宅Ｈは、複数の外壁パネル１Ａからなる外壁内に、ベランダへ通じる掃き出し窓３Ｂ（開口３）や、２階の引き違い窓３Ａ（開口３）、さらには、バルコニー４に通じる２階の掃き出し窓３Ｃ（開口３）などを備えている。なお、住宅Ｈがその他の形態の窓、例えば、上げ下げ窓や天窓など、採光や換気を目的とした様々な形態の窓を有していてもよい。
【００２２】
引き違い窓３Ａには、その開口廻りに開口枠１０Ａが取付けられており、掃き出し窓３Ｂ，３Ｃにはそれぞれ、それらの開口廻りに開口枠１０Ｂ，１０Ｃが取付けられている。
【００２３】
開口枠１０Ａを取り上げて説明すると、開口枠１０Ａは、上横枠１０ａ、下横枠１０ｂ、右側の縦枠１０ｃ、及び左側の縦枠１０ｄが相互に額縁状に一体に組み付けられて形成されている。
【００２４】
開口枠１０はサッシであり、主としてアルミサッシであるが、その他、アルミサッシと樹脂サッシのユニットタイプのサッシであってもよく、後者の形態では、例えば、伝熱性の低い樹脂サッシを室内側に配し、耐候性及び耐久性に優れているアルミサッシを室外側に配して適用するのがよい。
【００２５】
次に、実施形態に係る開口枠について、図２乃至図５を用いて説明する。ここで、図２は、図１のII方向の矢視図であって、開口枠を形成する上横枠の縦断面図である。図３は、図１のIII方向の矢視図であって、開口枠を形成する下横枠の縦断面図である。図４は、図１のIV方向の矢視図であって、開口枠を形成する右側の縦枠の横断面図である。さらに、図５は、図１のV方向の矢視図であって、開口枠を形成する左側の縦枠の横断面図である。すなわち、図２，３は、水平方向に延出する上横枠及び下横枠を鉛直方向に切断した縦断面図であり、図４，５は、鉛直方向に延出する左右の縦枠を水平方向に切断した横断面図である。
【００２６】
図２乃至図５では、開口枠１０を形成する上横枠１０ａ等に加えて、開口枠１０が開口廻りに取付けられた状態において、開口枠１０の周辺にある建物構成部材を二点鎖線で示している。なお、他の開口枠１０Ｂ，１０Ｃについても、縦横の寸法は異なるものの、実質的な構成は開口枠１０Ａと同様である。
【００２７】
まず、図２を用いて上横枠１０ａの形態について説明する。図２において、上横枠１０ａのうち、特徴的な箇所を実線で示し、その他の箇所は二点鎖線で示している。図２に示すように、上横枠１０ａは、室外側から室内側に向かって見込み方向に上る、上り段差部１１，１２，１３，１４を備えている。図２では、Ｘ１方向に、各上り段差部１１，１２，１３，１４が延出している。また、最下段の上り段差部１１に連続して、室内側に向かって見込み方向に延出する上方延出部１５をさらに備えている。この上方延出部１５は、実質的には、図２に実線で示すように水平方向に延出しており、窓３がスライド自在に係合する二点鎖線で示す複数の縦片が分岐している。
【００２８】
上横枠１０ａは、縁部材であるまぐさ６Ａに対して、ビス等の固定具９にて取り付けられる。この取付け位置ＴＰは、上り段差部１１，１２，１３，１４の中で最上段の上り段差部１４に設定されている。この上り段差部１４がまぐさ６Ａへの取付け片となり、この取付け片１４にビス孔１４ａが開設されている。
【００２９】
また、上横枠１０ａは、上方の外壁パネル１Ａの下面を、止水材を介して支持する。図示するように、外壁パネル１Ａは、乾式止水材であるガスケット５を介して、上横枠１０ａに支持される。この乾式止水材５が取り付けられる止水位置ＳＰは、上り段差部１１，１２，１３，１４の途中段である、上り段差部１２の近傍位置に設定されている。図示例では、上り段差部１２から室外側へ張り出した箇所を止水位置ＳＰとし、乾式止水材５を介して外壁パネル１Ａを支持している。
【００３０】
図２から明らかなように、上横枠１０ａでは、上り段差部１１，１２，１３，１４における、取付け位置ＴＰと、外壁パネル１Ａとの間の止水位置ＳＰとが、一定距離だけ離間するように、双方の位置が設定されている。従って、仮に乾式止水材５を介して外壁パネル１Ａの内側に水分が浸入してきた場合でも、この水分が取付け位置ＴＰまで到達する可能性は極めて低くなる。さらに、止水位置ＳＰから浸入してきた水分が、上り段差部１３，１４を上昇してはじめて取付け位置ＴＰまで到達できることを勘案すると、水分が取付け位置ＴＰまで到達することを確実に防止できる。従って、止水位置ＳＰから外壁パネル１Ａの内側に浸入してきた水分が、取付け位置ＴＰに到達し、ビス等の固定具を介してさらに室内側へ浸入するといった問題は生じない。
【００３１】
なお、上り段差部の段数は図示例に限定されるものでなく、より多くの段差部を有していてもよい。また、例えば上り段差部１１の横片を水平片に改変し、この水平片にて乾式止水材５を介して外壁パネル１Ａを支持してもよい。
【００３２】
図２において、外壁パネル１Ａと外張り断熱材１Ｂとから外装材１が形成されているが、この外装材１の構成については以下で詳説する。
【００３３】
次に、図３を用いて下横枠１０ｂの形態について説明する。図３においても、下横枠１０ｂのうち、特徴的な箇所を実線で示し、その他の箇所は一点鎖線で示している。図３に示すように、下横枠１０ｂは、室外側から室内側に向かって見込み方向に下る、下り段差部３１，３２，３３を備えている。図３では、Ｘ２方向に、各下り段差部３１，３２，３３が延出している。また、最上段の下り段差部３１の上端に連続して、室内側に向かって見込み方向に延出する下方延出部３４をさらに備えている。この下方延出部３４は、窓台６Ｂに直接支持されるように凹凸状に延出する実線部分と、窓３をスライドさせるガイドとなる二点鎖線部分からなる。
【００３４】
下横枠１０ｂは、縁部材である窓台６Ｂに対して、ビス等の固定具９にて取り付けられる。この取付け位置ＴＰは、下り段差部３１，３２，３３の中で最下段である、下り段差部３３に設定されている。この下り段差部３３が窓台６Ｂに対する取付け片となり、この取付け片３３にビス孔３３ａが開設されている。
【００３５】
また、下横枠１０ｂは、下方の外壁パネル１Ａの上面との間に、乾式止水材であるガスケット５を介在させて外装材１に取付けられる。この乾式止水材５が取り付けられる止水位置ＳＰは、下り段差部３１，３２，３３の最上段である、下り段差部３１の近傍位置に設定されている。図示例では、下り段差部３１から室外側へ張り出した箇所を止水位置ＳＰとしている。
【００３６】
図３から明らかなように、下横枠１０ｂでは、下り段差部３１，３２，３３における、取付け位置ＴＰと、外壁パネル１Ａとの間の止水位置ＳＰとが、一定距離だけ離間するように、双方の位置が設定されている。従って、仮に乾式止水材５を介して止水位置ＳＰから外壁パネル１Ａの内側に水分が浸入してきた場合でも、この水分が取付け位置ＴＰまで到達する可能性は極めて低くなる。特に、下横枠１０ｂにおいては、乾式止水材５を介して外壁パネル１Ａの内側に浸入してきた水分は、外壁パネル１Ａの背面にある通気層１Ｃを介して流下してしまうことからも、水分が取付け位置ＴＰまで到達することを確実に防止できる。従って、上横枠１０ａと同様に、下横枠１０ｂにおいても、止水位置ＳＰから外壁パネル１Ａの内側に浸入してきた水分が、取付け位置ＴＰに到達し、ビス等の固定具を介してさらに室内側へ浸入するといった問題は生じない。
【００３７】
次に、図４を用いて右側の縦枠１０ｃの形態について説明する。図４においても、右側の縦枠１０ｃのうち、特徴的な箇所を実線で示し、その他の箇所は一点鎖線で示している。図４に示すように、右側の縦枠１０ｃは、見込み方向に段状をなす水平段差部４１，４２，４３，４４を備えている。図４では、Ｘ３方向に、各水平段差部４１，４２，４３，４４が延出している。
【００３８】
右側の縦枠１０ｃは、縁部材である縦胴縁６Ｃに対して、ビス等の固定具９にて取り付けられる。この取付け位置ＴＰは、水平段差部４１，４２，４３、４４の中で、外壁パネル１Ａとの間の止水位置ＳＰから最も遠い位置にある水平段差部４１に設定されている。この水平段差部４１が取付け片となり、この取付け片４１にビス孔４１ａが開設されている。
【００３９】
室外側にある水平段差部４４の側方に外壁パネル１Ａが配設され、これらの間には縦目地を形成する乾式止水材５Ａが介在している。図示例は、乾式止水材５Ａにて縦目地が形成されている形態を示しているが、外張り断熱材１Ｂの表面に例えばハット型の目地ジョイナーが配設され、目地ジョイナーの表面に乾式止水材が配設されたり、湿式止水材が形成されて縦目地を形成してもよい。
【００４０】
縦枠１０ｃと外壁パネル１Ａとの間の、乾式止水材５Ａが取付けられる位置が、止水位置ＳＰとなる。図４から明らかなように、止水位置ＳＰと取付け位置ＴＰとの間には一定の距離が確保されており、仮に乾式止水材５Ａを介して止水位置ＳＰから外壁パネル１Ａの内側に水分が浸入してきた場合でも、各水平段差部４１，４２，４３、４４を経由して水分が取付け位置ＴＰまで到達する可能性は極めて低くなる。従って、上横枠１０ａや下横枠１０ｂと同様に、止水位置ＳＰから外壁パネル１Ａの内側に浸入してきた水分が、取付け位置ＴＰに到達し、ビス等の固定具を介してさらに室内側へ浸入するといった問題は生じない。
【００４１】
次に、図５を用いて左側の縦枠１０ｄの形態について説明する。図４，５を比べると明らかなように、左側の縦枠１０ｄは右側の縦枠１０ｃと構成が実質的に同じであり、双方は開口３の中心線に対して線対称の関係にある。従って、左側の縦枠１０ｄも右側の縦枠１０ｃと同様の効果を奏する。
【００４２】
また、左右の縦枠１０ｃ、１０ｄが同様の構成であることから、開口枠１０の構成の簡素化を図ることができ、縦枠１０ｃ、１０ｄの製作時間も短縮でき、開口枠１０全体の製作コストを削減することができる。
【００４３】
以上で説明したように、開口枠１０によれば、上横枠１０ａが、室外側から室内側に向かって見込み方向に上る上り段差部１１，１２，１３，１４を備え、上り段差部において縁部材６Ａに固定具にて取付けられる取付け位置ＴＰと、上り段差部において外壁パネル１Ａ等との間の止水位置ＳＰとの間に一定の距離が確保されるように、上り段差部における取付け位置ＴＰと止水位置ＳＰが設定されている。このことにより、止水位置ＳＰから仮に浸入してきた水分が取付け位置ＴＰまで到達することを防止でき、固定具を介して水分がさらに室内側へ浸入することを防止できる。
【００４４】
さらに、下横枠１０ｂは下り段差部３１，３２，３３を備え、左右の縦枠１０ｃ、１０ｄは水平段差部４１，４２，４３、４４を備えるとともに、上横枠１０ａと同様に、取付け位置ＴＰと止水位置ＳＰとの間に一定の距離が確保されていることにより、各止水位置ＳＰから仮に浸入してきた水分が各取付け位置ＴＰまで到達することを防止できる。
【００４５】
＜２．開口廻り構造＞
次に、実施形態に係る開口廻り構造について、図６乃至図９を用いて説明する。ここで、図６は、図１のII方向の矢視図であって、上横枠付近の開口廻り構造の縦断面図である。図７は、図１のIII方向の矢視図であって、下横枠付近の開口廻り構造の縦断面図である。図８は、図１のIV方向の矢視図であって、右側の縦枠付近の開口廻り構造の縦断面図である。さらに、図９は、図１のV方向の矢視図であって、左側の縦枠付近の開口廻り構造の縦断面図である。図６乃至図９は、図２乃至図５の二点鎖線部分を実線で示した図であり、開口廻りの縁部材に対して開口枠を構成する各枠が取付けられることにより形成される、開口廻り構造を示している。
【００４６】
まず、図６を用いて、開口廻り構造２０のうち、上横枠１０ａとその周辺の各種部材とで形成される開口廻り構造について説明する。図６に示すように、上横枠１０ａは、上り段差部１１，１２，１３，１４のうち、最上段の上り段差部１４が取付け片となり、縁部材であり、横胴縁であるまぐさ６Ａに対して、ビス孔１４ａを介してビス９をねじ込むことにより取付けられている。また、上横枠１０ａの上方延出部１５にもビス孔１５ａが開設されており、ビス孔１５ａを介して他のビス９がまぐさ６Ａにねじ込まれている。
【００４７】
まぐさ６Ａは角材からなり、まぐさ６Ａの上面には横胴縁である溝形鋼７Ａが上方に開放するように配設されている。溝形鋼７Ａの上方には、外装材１に沿うように断熱材８が配設されている。この断熱材８は、グラスウールやロックウール等を素材とする。なお、図示を省略するが、断熱材８の室内側の面には防湿シートが配設され、さらにその室内側に石膏ボード等の内装材が配設される。
【００４８】
断熱材８の室外側には、外装材１が配設されている。外装材１は、室外側にある外壁パネル（外壁材）１Ａと、通気層１Ｃを介して室内側に配設された外張り断熱材（外壁下地材）１Ｂと、を有する。外張り断熱材１Ｂは、グラスウールを断熱性能が最も高くなる密度にて圧縮したボードであり、その表面に透湿防水シート１ｂが貼り付けられている。このように、図示する壁構造は、外張り断熱材１Ｂと断熱材８とを有する二重断熱構造となっているが、このような二重断熱構造に限らず、外張り断熱材１Ｂに代わって、表面に透湿防水シート１ｂが貼り付けられている一般的な下地材（下地ボード）を外装材１の構成要素としてもよい。
【００４９】
また、外装材１が、外壁パネル１Ａと外張り断熱材１Ｂの間に通気層１Ｃを備えていることにより、室外側と室内側での圧力差（内外差圧）がある場合に、この通気層１Ｃが内外差圧を減圧することができる。内外差圧がある場合は一般に、室内側の圧力は室外側の圧力に対して相対的に低くなる。そのため、一次防水を通過して室内側に浸入してきた水分は、この内外差圧によってより室内側へ浸入し易くなる。しかしながら、図示例の外装材１では、通気層１Ｃが介在することにより、この通気層１Ｃで内外差圧を可及的に低減することができるため、内外差圧によって浸入してきた水分がさらに室内側へ導かれることを効果的に抑制できる。
【００５０】
上横枠１０ａの上り段差部１２から室外側へ張り出した箇所において、乾式止水材であるガスケット５を介して外壁パネル１Ａを支持し、このガスケット５の取付け位置が止水位置ＳＰとなる。
【００５１】
外張り断熱材１Ｂは、上り段差部１３の水平片１３ａに支持され、通気層１Ｃは、上り段差部１２の水平片の直上に位置する。止水位置ＳＰから外壁パネル１Ａの背面に浸入してきた水分は、通気層１Ｃの下方位置で上り段差部１２の水平片１２ａの上に形成される排水流路ＦＣ１に入り込む。この排水流路ＦＣ１は、図８，９を用いて後で説明する、左右の縦枠１０ｄ、１０ｃの水平段差部と乾式止水材５Ａで囲まれた空間に形成される排水流路ＦＣ２，ＦＣ３と連通している。さらに、これら左右の縦枠１０ｄ、１０ｃの排水流路ＦＣ２、ＦＣ３は、図７を用いて後で説明する、下横枠１０ｂの上り段差部と通気層１Ｃの間に形成される排水流路ＦＣ４に連通している。すなわち、上横枠１０ａと左右の縦枠１０ｄ、１０ｃと下横枠１０ｂのそれぞれに固有の排水流路ＦＣ１乃至ＦＣ４は全て連通している。したがって、特に、上横枠１０ａの排水流路ＦＣ１に入り込んだ水分は、左右の縦枠１０ｄ、１０ｃの排水流路ＦＣ２、ＦＣ３を経て下横枠１０ｂの排水流路ＦＣ４に導かれ、下横枠１０ｂの下方の通気層１Ｃにて流下して、外装材１の下端から室外に排水される。
【００５２】
図６から明らかなように、上り段差部１１，１２，１３，１４の中でも最上段にある上り段差部１４に、まぐさ６Ａに取付けられる取付け位置ＴＰが設けられ、外壁パネル１Ａとの間の止水位置ＳＰと取付け位置ＴＰとの間に一定距離の離間が確保されている。従って、図２を用いて説明しているように、止水位置ＳＰから外壁パネル１Ａの内側に浸入してきた水分が、取付け位置ＴＰに到達し、ビス等の固定具を介してさらに室内側へ浸入するといった問題は生じない。また、排水流路ＦＣ１と取付け位置ＴＰとの間にも一定距離の離間が確保されていることより、排水流路ＦＣ１を流れる水分が取付け位置ＴＰに到達することも抑止できる。
【００５３】
次に、図７を用いて、開口廻り構造２０のうち、下横枠１０ｂとその周辺の各種部材とで形成される開口廻り構造について説明する。図７に示すように、下横枠１０ｂは、下り段差部３１，３２，３３のうち、最下段の下り段差部３３が取付け片となり、縁部材であり、横胴縁である窓台６Ｂに対して、ビス孔３３ａを介してビス９をねじ込むことにより取付けられている。また、下横枠１０ｂの下方延出部３４は複数の脚３４ａを備え、この脚３４ａが窓台６Ｂの上面に載置されている。窓台６Ｂの下面には、横胴縁である溝形鋼７Ｂが下方に開放して配設されており、溝形鋼７Ｂの下方に断熱材８が配設されている。なお、下方延出部３４もビス孔を有し、ビスを窓台６Ｂにねじ込んで固定されてもよい。
【００５４】
下横枠１０ｂの下り段差部３１から室外側へ張り出した箇所において、乾式止水材であるガスケット５を介して外壁パネル１Ａが取付けられ、このガスケット５の取付け位置が止水位置ＳＰとなる。
【００５５】
下り段差部３２の水平片３２ａが外張り断熱材１Ｂの上面に支持され、通気層１Ｃは、下り段差部３１の水平片３１ａの直下に位置する。止水位置ＳＰから外壁パネル１Ａの背面に浸入してきた水分や、後で説明する左右の縦枠１０ｃ、１０ｄに固有の排水流路を経て流れてきた水分は、通気層１Ｃの上方位置で下り段差部３１の水平片３１ａの下に形成される排水流路ＦＣ４に入り込む。排水流路ＦＣ４に入り込んだ水分は、通気層１Ｃを流下し、外装材１の下端から室外に排水される。
【００５６】
図７から明らかなように、下り段差部３１，３２，３３の中でも最下段にある下り段差部３３に、窓台６Ｂに取付けられる取付け位置ＴＰが設けられ、外壁パネル１Ａとの間の止水位置ＳＰと取付け位置ＴＰとの間に一定距離の離間が確保されている。従って、図３を用いて説明しているように、止水位置ＳＰから外壁パネル１Ａの内側に浸入してきた水分が、取付け位置ＴＰに到達し、ビス等の固定具を介してさらに室内側へ浸入するといった問題は生じない。また、排水流路ＦＣ２と取付け位置ＴＰとの間にも一定距離の離間が確保されていることより、排水流路ＦＣ２を流れる水分が取付け位置ＴＰに到達することも抑止できる。
【００５７】
次に、図８を用いて、開口廻り構造２０のうち、右側の縦枠１０ｃとその周辺の各種部材とで形成される開口廻り構造について説明する。なお、図９は、左側の縦枠１０ｄとその周辺の各種部材とで形成される開口廻り構造について説明した図であるが、図８で示す開口廻り構造と実質的に同様の構成であることより、その詳細な説明は省略し、適宜図９を参照して必要な構成について説明する。
【００５８】
図８に示すように、縦枠１０ｃは、水平段差部４１，４２，４３，４４のうち、乾式止水材５が取付けられている止水位置ＳＰから最も離れた水平段差部４１が取付け片となり、縁部材である縦胴縁６Ｃに対して、ビス孔４１ａを介してビス９をねじ込むことにより取付けられている。なお、断熱材８のさらに室内側には防湿シート１Ｄが配設され、さらにその室内側には石膏ボード１Ｅ（内装材）が配設されている。
【００５９】
図８において、乾式止水材５の右側の領域、すなわち、縦枠１０ｃの室内側の領域では、水平段差部４３の室内側には外張り断熱材１Ｂが配設され、外張り断熱材１Ｂの室内側には縦胴縁である溝形鋼７Ｃと、この溝形鋼７Ｃと各水平段差部４１，４２の間に断熱材８が収容されている。一方、乾式止水材５の左側の領域には、外装材１が側方に延出し、外装材１の室内側に断熱材８が配設され、上記する防湿シート１Ｄ及び石膏ボード１Ｅが延出している。
【００６０】
水平段差部４３，４４の背面と乾式止水材５、及び外張り断熱材１Ｂで囲まれた空間に排水流路ＦＣ２が形成されている。止水位置ＳＰから浸入してきた水分や、上述する、上横枠１０ａの排水流路ＦＣ１から流れてきた水分は、鉛直方向に延びる排水流路ＦＣ２を介して下り段差部３１の排水流路ＦＣ４に導かれる。なお、図９に示す左側の縦枠１０ｄにおいても同様に、水平段差部４３，４４の背面と乾式止水材５、及び外張り断熱材１Ｂで囲まれた空間に排水流路ＦＣ３が形成されており、止水位置ＳＰから浸入してきた水分や、上横枠１０ａの排水流路ＦＣ１から流れてきた水分は、鉛直方向に延びる排水流路ＦＣ３を介して下り段差部３１の排水流路ＦＣ４に導かれる。
【００６１】
図８，９から明らかなように、水平段差部４１，４２，４３，４４の中でも止水位置ＳＰから最も離れた位置に取付け位置ＴＰが設けられ、止水位置ＳＰと取付け位置ＴＰとの間に一定距離の離間が確保されている。従って、図４，５を用いて説明しているように、止水位置ＳＰから浸入してきた水分が、取付け位置ＴＰに到達し、ビス等の固定具を介してさらに室内側へ浸入するといった問題は生じない。また、縦枠１０ｃ、１０ｄ付近のいずれの開口廻り構造においても、排水流路ＦＣ２，３と取付け位置ＴＰとの間に一定距離の離間が確保されていることより、排水流路ＦＣ２，３を流れる水分が取付け位置ＴＰに到達することも抑止できる。
【００６２】
このように、上横枠１０ａ、下横枠１０ｂ及び左右の縦枠１０ｃ、１０ｄの備える各段差部と、外装材１との間にそれぞれの排水流路ＦＣ１乃至ＦＣ４が形成され、各排水流路ＦＣ１乃至ＦＣ４が相互に連通していることにより、開口枠１０の周囲に水分が滞留することを抑制でき、速やかな排水を実現できる。
【００６３】
なお、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００６４】
１：外装材、１Ａ：外壁パネル（外壁材）、１Ｂ：外張り断熱材（外壁下地材）、１ｂ：透湿防水シート、１Ｃ：通気層、２：縦目地、３：開口（窓、引き違い窓）、３Ａ：開口（窓、引き違い窓）、３Ｂ、３Ｃ：開口（掃き出し窓）、５：乾式止水材（ガスケット）、５Ａ：乾式止水材（ガスケット）、６Ａ：縁部材（まぐさ）、６Ｂ：縁部材（窓台）、６Ｃ：縁部材（縦胴縁）、７Ａ，７Ｂ：横胴縁（溝形鋼）、７Ｃ：縦胴縁（溝形鋼）８：断熱材、９：固定具（ビス）、１０，１０Ａ，１０Ｂ，１０Ｃ：開口枠、１０ａ：上横枠、１０ｂ：下横枠、１０ｃ：縦枠（右側の建枠）、１０ｄ：縦枠（左側の縦枠）、１１，１２，１３：上り段差部、１４：上り段差部（取付け片）、１５：上方延出部、２０：開口廻り構造、３１，３２：下り段差部、３３：下り段差部（取付け片）、３４：下方延出部、４２，４４：水平段差部、４１，４３：水平段差部（取付け片）、Ｈ：建物（住宅）、ＴＰ：取付け位置、ＳＰ：止水位置、ＦＣ，ＦＣ１，ＦＣ２，ＦＣ３，ＦＣ４：排水流路
【図１】
2019060150.tif 000003
【図２】
2019060150.tif 000004
【図３】
2019060150.tif 000005
【図４】
2019060150.tif 000006
【図５】
2019060150.tif 000007
【図６】
2019060150.tif 000008
【図７】
2019060150.tif 000009
【図８】
2019060150.tif 000010
【図９】
2019060150.tif 000011